(57)【要約】【課題】電気ヒータ部と燃焼ヒータ部とを、各ヒータ部の各吸気口を相互に隣接して設けると共に各ヒータ部の送風系が相互に独立するように区画して筐体に内蔵してハイブリット式に温風暖房器を構成すると、燃焼ヒータ部のみによる暖房運転中に、電気ヒータ部の送風通路を逆流する空気の流れが生じて電気ヒータに塵埃が付着する。この状態で電気ヒータを作動させると、塵埃が加熱されて燃焼し、暖房運転開始当初に異臭が発生する。【解決手段】電気ヒータ４４を備えた電気ヒータ部４を作動して暖房運転を行う場合、電気ヒータ４を作動させる前に送風ファン４３を作動して送風通路４２内に侵入した塵埃を除去するようにする。【選択図】  図２
2004205065.tif 000002
【特許請求の範囲】
【請求項１】
吸気口から吹出口に通じる送風通路を有し、この送風通路に送風ファンと加熱手段とを設けた少なくとも２個のヒータ部を、各ヒータ部の各吸気口を相互に隣接して設けると共に、各ヒータ部の送風系が相互に独立するように区画して筐体に内蔵したハイブリット式温風暖房器であって、
前記加熱手段のいずれか１個を電気ヒータとすると共にその他を燃焼ヒータとし、この電気ヒータを備えた電気ヒータ部を作動して暖房運転を行う場合、電気ヒータを作動させる前に送風ファンを作動して送風通路内に侵入した塵埃を除去するようにしたことを特徴とするハイブリット式温風暖房器。
【請求項２】
前記電気ヒータ部の送風ファンが作動して所定の時間経過後にこの送風ファンの作動を一旦停止し、電気ヒータを作動して所定時間経過後に送風ファンの作動を再開するようにしたことを特徴とする請求項１記載のハイブリット式温風暖房器。
【請求項３】
前記燃焼ヒータを備えた燃焼ヒータ部のみによる暖房運転中に、その暖房運転開始から所定時間経過する毎に、電気ヒータ部の送風ファンを一定時間作動させることを特徴とする請求項１または請求項２記載のハイブリット式温風暖房器。
【請求項４】
前記燃焼ヒータはガスバーナであることを特徴とする請求項１乃至請求項３のいずれか１項に記載のハイブリット式温風暖房器。
【発明の詳細な説明】
【０００１】
【発明の属する技術分野】
本発明は、複数の加熱手段を１個の筐体に内蔵したハイブリット式温風暖房器に関する。
【０００２】
【従来の技術】
従来、例えば燃焼ヒータ部と電気ヒータ部とを筐体に内蔵し、１個の送風ファンで送風系を形成したハイブリット式の温風暖房器は知られている（特許文献１）。この場合、送風系を１個の送風ファンで制御すると、燃焼ヒータ部に加えて電気ヒータ部によって暖房運転する場合と、燃焼ヒータ部のみで暖房運転し電気ヒータ部を停止させた場合とでは、発生熱量が異なることから、過熱防止のため筐体内に吸込む空気量を相違させる必要があり、燃焼空気量の相違のため燃焼ヒータを安定燃焼させるのが困難になる。
【０００３】
このため、燃焼ヒータ部及び電気ヒータ部を上下に重ねて配置し、送風ファンと吸気口及び吹出口とをそれぞれ設け、送風系を相互に独立のものとすることが考えられる。この場合、各吹出口及び吸気口は、例えば器具の前面及び背面に隣接して設けられる。
【０００４】
【特許文献１】
特開２０００−９３４７号公報（例えば、特許請求の範囲の記載）
【０００５】
【発明が解決しようとする課題】
ところで、上記のようにハイブリット式の温風暖房器を構成し、燃焼ヒータ部の吸気口と電気ヒータ部の吸気口とを隣接して設けた場合、燃焼ヒータ部のみを作動して暖房運転を行うと、この燃焼ヒータ部の吸気口周辺の空気が筐体に吸込まれるのに伴って電気ヒータ部の吹出口から送風通路を介して吸気口へと逆流する空気の流れが生じる場合がある。
【０００６】
この場合、吹出口周辺の塵埃が電気ヒータ部の送風通路内に吸込まれ、この送風通路内に設けた電気ヒータに付着する。この状態で電気ヒータを作動させると、塵埃が加熱されて燃焼し、暖房運転開始当初に異臭が発生するという問題があった。この場合、吸気口にはフィルターが装着されるが、温風が吹出される吹出口に、温風に対して抵抗となるフィルターを装着するのは好ましくない。
【０００７】
そこで、本発明は、上記点に鑑み、電気ヒータによる暖房運転開始当初に不快な異臭が発生するのを防止できるようにしたハイブリット式温風暖房器を提供することを課題とするものである。
【０００８】
【課題を解決するための手段】
上記課題を解決するため、本発明のハイブリット式温風暖房器は、吸気口から吹出口に通じる送風通路を有し、この送風通路に送風ファンと加熱手段とを設けた少なくとも２個のヒータ部を、各ヒータ部の各吸気口を相互に隣接して設けると共に、各ヒータ部の送風系が相互に独立するように区画して筐体に内蔵したハイブリット式温風暖房器であって、前記加熱手段のいずれか１個を電気ヒータとすると共にその他を燃焼ヒータとし、この電気ヒータを備えた電気ヒータ部を作動して暖房運転を行う場合、電気ヒータを作動させる前に送風ファンを作動して送風通路内に侵入した塵埃を除去するようにしたことを特徴とする。
【０００９】
本発明によれば、燃焼ヒータ部のみを作動することで、電気ヒータ部の吹出口から送風通路を介して吸気口へと逆流する空気の流れが生じて吹出口周辺の塵埃が電気ヒータ部の送風通路内に吸込まれ、電気ヒータに付着しても、電気ヒータを作動させる前に送風ファンを作動して送風通路内に侵入した塵埃を除去するので、電気ヒータ部による暖房運転開始当初に不快な異臭が発生するのを防止できる。
【００１０】
この場合、暖房開始当初から温かい風を吹出すため、前記電気ヒータ部の送風ファンが作動して所定の時間経過後にこの送風ファンの作動を一旦停止し、電気ヒータを作動して所定時間経過後に送風ファンの作動を再開するようにするのがよい。
【００１１】
また、前記燃焼ヒータを備えた燃焼ヒータ部のみによる暖房運転中に、その暖房運転開始から所定時間経過する毎に、電気ヒータ部の送風ファンを一定時間作動させるようにしておけば、定期的に電気ヒータに付着した塵埃が除去され、燃焼ヒータ部に加えて電気ヒータ部を作動させる場合に電気ヒータ部を迅速に作動させることができる。
【００１２】
尚、前記燃焼ヒータはガスバーナとすればよい。
【００１３】
【発明の実施の形態】
図１乃至図２を参照して、１は、本発明のハイブリット式温風暖房器である。この温風暖房器（以下、「器具」という）１は箱状の筐体１１を有する。筐体１１の上面には、器具１の暖房運転を制御する操作部２が設けられている。この操作部２は、運転スイッチ２１と、設定温度や時刻を表示するディスプレイ２２と、所定の設定を器具内に設けたマイコン（図示せず）に指示する運転モード設定スイッチ２３と、運転スイッチ２１の上下に配置した設定変更スイッチ２４とから構成される。筐体１１内には、上側にガスヒータ部３が、下側に電気ヒータ部４が内蔵されている。この場合、筐体１１の前面に、第１吹出口１２ａ及び第２吹出口１２ｂを、筐体１１の後面に第１吸気口１３ａ及び第２吸気口１３ｂを、ガスヒータ部３及び電気ヒータ部４に対応させて形成し、後述するように２個の送風ファンを使用してガスヒータ部３と電気ヒータ部４との送風系を相互に独立のものとしている。
【００１４】
ガスヒータ部３は、燃焼ヒータであるガスバーナ３０と、ガスバーナ３０の下方に配置され、ガスバーナ３０に燃焼用空気を供給すると共に、このガスバーナ３０からの燃焼ガスと第１吸気口１３ａから筐体１１に吸込まれた空気とを混合して室内に吹出す第１送風ファン３１とから構成されている。ガスバーナ３０は、全一次空気式の燃焼板バーナであり、筐体１１内に配置した電磁安全弁、比例制御弁（図示せず）が接続されたガス管（図示せず）の先端に装着されたガスノズル（図示せず）が臨む燃料ガス／空気の吸入口３０１と、この吸入口３０１に連通する混合管部３０２とを形成したバーナ本体３０ａを有する。バーナ本体３０ａの開口した上面には、分布板（図示せず）を介して複数の炎口が列設されたセラミック製の燃焼板３０３が装着されている。このガスバーナ３０は燃焼筐３０４に収納されている。
【００１５】
筐体１１内にはまた、燃焼筐３０４の上方を囲うように、後述の第１送風ファン３１の作動により第１吸気口１３ａから筐体１１内に吸込まれた空気と燃焼筐３０４からの燃焼ガスとを所定の距離だけ流れるまで区画する分流板５１が設けられている。この分流板５１を覆うと共に分流板５１との間で第１送風ファン３１に通じる空気通路５２が形成されるように隔壁５３が筐体１１内に設けられている。
【００１６】
バーナ本体３０ａの下側に配置された第１送風ファン３１は、第１吹出口１２ａに通じる送風ダクト３１１ａが形成されたハウジング３１１を有する。ハウジング３１１内には、回転数の制御が可能な第１モータ（図示せず）に接続されたクロスフロー式の第１回転羽根３１２が配置されている。この場合、空気通路５２とハウジング３１１の内部空間とは、ハウジング３１１の上面開口３１１ｂを介して連通している。
【００１７】
これにより、第１吸気口１３ａから第１吹出口１２ａに通じるガスヒータ部３の送風系が形成される。そして、第１モータを駆動して第１回転羽根３１２を回転させると、筐体１１内に吸気口１３ａから室内の空気が吸い込まれ、バーナ本体３０ａの吸入口３０１に空気が供給されると共に、空気通路５２を空気が流れる。この場合、吸入口３０１にガスノズルを介して燃料ガスを噴射すると混合気が燃焼板３０３に供給される。尚、空燃比は、第１モータを制御して第１回転羽根３１２の回転数を制御することで調節される。
【００１８】
燃焼筐３０４からの燃焼ガスは、分流板５１の内側の燃焼ガス通路５４を通って第１送風ファン３１方向に吸引される。空気通路５２には第１吸気口１３ａから吸引された空気が流れ、分流板５１を介して熱交換された後、この分流板５１の下流端で燃焼ガスと空気とが混合されて温度低下し、開口３１１ｂを介してハウジング３１１内に流入する。そして、温風が吹出口１２ａを介して室内に放出される。
【００１９】
一方、電気ヒータ部４は樹脂製のケース４１内に収納され、第２吸気口１３ｂから第２吹出口１２ｂに通じる送風通路４２を有する。この場合、電気ヒータ部４を小型化するため、送風通路４２は、器具１の上方から水平方向に屈曲させて形成されている。この送風通路４２の屈曲させた屈曲部４２ａには第２送風ファン４３が設けられている。第２送風ファン４３は、回転数の制御が可能な第２モータ（図示せず）と、この第２モータに接続され屈曲部４２ａに配置されたクロスフロー式の第２回転羽根４３１とから構成されている。この屈曲部４２ａの下流側には、送風通路４２を流れる空気を横切るように８本のシーズヒータ４４が設けらている。
【００２０】
これにより、第２吸気口１３ｂから第２吹出口１２ｂに通じる電気ヒータ部４の送風系が形成される。そして、第２モータを駆動させて第２回転羽根４３１を回転させると、第２吸気口１３ｂを介して室内の空気が送風通路４２に吸い込まれ、この空気がシーズヒータ４４の周囲を通過する間に加熱され、第２吹出口１２ｂを介して温風が室内に放出される。尚、前記第１及び第２の各吹出口１２ａ、１２ｂは、第１送風ファン３１から吹出される温風と第２送風ファン４３から吹出される温風空気とが合流するように隣接させて形成している。
【００２１】
ところで、上記のように器具１を構成した場合、第１吸気口１３ａと第２吸気口１３ｂとが隣接していると、ガスヒータ部３のみを作動して暖房運転を行うため第１送風ファン３１を作動させ、この第１吸気口１３ａ周辺の空気を筐体１１に吸込んだとき、それに伴って、図２に矢印で示すように第２吹出口１２ｂから送風通路４２を介して第２吸気口１３ｂへと逆流する空気の流れが生じる場合がある。
【００２２】
この場合、第２吹出口１２ｂ周辺の塵埃が送風通路４２内に吸込まれ、この送風通路内４２のシーズヒータ４４に付着する。この状態でシーズヒータ４４を作動させると、塵埃が加熱されて燃焼し、運転開始当初に異臭が発生する。本実施の形態では、電気ヒータ部４を作動して暖房運転を行う前に、第２送風ファン４３を一定時間作動して所謂プレパージを行い、送風通路４２内に侵入した塵埃を除去するようにした。
【００２３】
次に、図３を参照して、本発明の器具１の暖房運転を説明する。器具１の停止状態から運転スイッチ２１をＯＮすると（Ｓ１０）、ディスプレイ２２に、前回器具１の暖房運転を停止した際に制御ユニットに記憶された設定が表示され、その設定で暖房運転が開始される。この場合、運転モード設定スイッチ２３を押して暖房運転モードを変更したり（Ｓ１１）、設定変更スイッチ２４を押して設定温度を変更したりできる。本実施の形態では、暖房運転モードは、ガスヒータ部３のみ、電気ヒータ部４のみ、あるいはガスヒータ部３及び電気ヒータ部４の同時運転の３つから選択できる。
【００２４】
電気運転モードに設定すると（Ｓ１２）、電気ヒータ部４による暖房運転が行われる。この場合、筐体１１内に設けた室温検知センサ（図示せず）で検知された現在室温が設定室温より所定温度（１℃）以上低いか否かを判別し（Ｓ１３）、所定温度（１℃）以上低いと第２送風ファン４３を作動して（Ｓ１４）、プレパージを行いシーズヒータ４４に付着した塵埃を除去する。そして、第２送風ファン４３の作動から所定時間（例えば１０秒）経過するとこの送風ファン４３の作動を一旦停止させる（Ｓ１５）。次に、シーズヒータ４４を作動させて予加熱を行った後（Ｓ１６）、第２送風ファン４３の作動を再開し（Ｓ１７）、第２吹出口１２ｂから温風を吹出す。これにより、電気ヒータ部４による暖房運転開始当初に不快な異臭が発生するのを防止できると共に当初から温風が吹出される。尚、送風ファン４３を一旦停止しないで、送風ファン４３の作動開始から所定時間（１０秒）経過後にシーズヒータ４４を作動させてもよい。
【００２５】
電気ヒータ部４の暖房運転中は、室温検知センサで検知された現在室温が設定室温より所定温度（１℃）高いか否か判別し（Ｓ１８）、所定温度（１℃）高くなるとシーズヒータ４４の作動を停止する（Ｓ１９）。この場合、送風通路４２内の残存熱を放出する所謂ポストパージを行うため、第２送風ファン４３を、シーズヒータ４４の作動停止から所定時間（９０秒）だけ作動した後、停止する（Ｓ２０）。尚、電気ヒータ部４による暖房運転中に運転スイッチ２１をＯＦＦにした場合も送風通路４２内の残存熱を放出するポストパージを行う。
【００２６】
次に、図４を参照して、電気及びガス運転モードに設定すると（Ｓ２１）、第１送風ファン３１を作動すると共に（Ｓ２２）、ガスバーナ３０を点火する（Ｓ２３）。次に、第１送風ファン３１の作動から所定時間経過（４５秒）すると、第２送風ファン４３を作動して（Ｓ２４）、プレパージを行う。そして、第２送風ファン４３の作動開始から所定時間経過後（１０秒）すると第２送風ファン４３の作動を一旦停止する（Ｓ２５）。次に、室温検知センサで検知された現在室温が設定室温より所定温度（２℃）以上低いか否かを判別し（Ｓ２６）、所定温度（２℃）以上低いとシーズヒータ４４を作動して（Ｓ２７）、予加熱を行った後に第２送風ファン４３を作動して（Ｓ２８）、電気及びガスの各ヒータ部３、４による暖房運転を行う。
【００２７】
ガス及び電気の両ヒータ部３、４の暖房運転中は、室温検知センサで検知された現在室温が設定室温より所定温度（２℃）高いか否かを判別し（Ｓ２９）、所定温度（２℃）高くなるとシーズヒータ４４の作動を停止し（Ｓ３０）、ガスヒータ部３のみによる暖房運転に自動的に切換る。この場合、第２送風ファン４３を、シーズヒータ４４の作動停止から所定時間（９０秒）だけ作動してポストパージを行った後停止する（Ｓ３１）。次に、シーズヒータ４４の作動停止から所定時間経過（１時間）したか否かを判別し（Ｓ３２）、所定時間が経過していると第２送風ファン４３を作動し（Ｓ３３）、１０秒後に第２送風ファン４３の作動を停止する（Ｓ３４）。これにより、定期的にシーズヒータ４４に付着した塵埃が除去され、ガスヒータ部３に加えて電気ヒータ部４を作動させる場合に電気ヒータ部４を迅速に作動させることができる。
【００２８】
次に、図５（ａ）を参照して、電気及びガス運転モードであってガス及び電気の各ヒータ部３、４による暖房運転中に、電源スイッチ２１をＯＦＦにすると（Ｓ４１）、ガスバーナ３０を消火すると共にシーズヒータ４４の作動を停止する（Ｓ４２）。次に、第１及び第２の各送風ファン３１、４３をガスバーナ３０及びシーズヒータ４４の作動停止から所定時間（９０秒）だけ作動し、ポストパージを行った後停止する（Ｓ４３、Ｓ４４）。他方で、電気及びガス運転モードであって電気ヒータ部４の運転停止中に、電源スイッチ２１をＯＦＦにすると（Ｓ５１）、ガスバーナ３０を消火すると共に第２送風ファン４３を作動する（Ｓ５２）。そして、第２送風ファン４３の作動開始から所定時間（１０秒）経過すると、この第２送風ファン４３の作動を停止し（Ｓ５３）、次に、ガスバーナ３０の消火から９０秒後に、ポストパージ中の第１送風ファン３１を停止する（Ｓ５４）。尚、ガスヒータ部３による暖房運転中に電源スイッチ２１をＯＦＦにしたとき、図５（ｂ）と同様の手順で停止される。
【００２９】
また、上記実施の形態では燃焼ヒータとしてガスバーナを用いたものを例に説明したが、ガスバーナに限定されるものではなく、例えば石油バーナなどの燃焼によって発熱するバーナであればいずれの形態のものであってもよい。
【００３０】
【発明の効果】
以上説明したように、本発明のハイブリット式温風暖房器では、電気ヒータによる暖房運転開始時に不快な異臭が発生するのを防止できるという効果を奏する。
【図面の簡単な説明】
【図１】本発明のハイブリット式温風暖房器の斜視図
【図２】本発明のハイブリット式温風暖房器の構成を説明する縦断面図
【図３】本発明のハイブリット式温風暖房器の作動を説明するフロー図
【図４】本発明のハイブリット式温風暖房器の作動を説明するフロー図
【図５】（ａ）及び（ｂ）は、本発明のハイブリット式温風暖房器の作動停止を説明するフロー図
【符号の説明】
１  ハイブリット式温風暖房器
１１  筐体
１２ａ、１２ｂ  吹出口
１３ａ、１３ｂ  吸気口
２  操作部
３  ガスヒータ部
３０  ガスバーナ
３１  第１送風ファン
４  電気ヒータ部
４３  第２送風ファン
【図１】
2004205065.tif 000003
【図２】
2004205065.tif 000004
【図３】
2004205065.tif 000005
【図４】
2004205065.tif 000006
【図５】
2004205065.tif 000007